(57)【要約】      （修正有）【課題】メカ構造を用いず、原始的な操作もせず、指一本で軽く人形頭部を押すだけで両腕を動かすことができる人形を提供する。【解決手段】紙、樹脂フィルムでなる可撓性素材で形成し、脚部及び胴体部と、首部及び頭部と、腕部５とで構成される人形において、腕部は、左右の腕と、左右の腕を連結するアーチ状のばね部６とで構成するとともに、腕部を胴体部の左右壁片に設けられた切欠き部に差し渡し設け、ばね部は、この胴体部の蓋８の閉塞で、胴体部に係合支持する構成とする。閉塞した蓋の中央に設けた孔９に、首部を挿入するとともに、この挿入時に、首部の下端が、ばね部に接触する構成とする。首部の押込みは、この首部上端に設けた頭部を押込み、かつこの押込み操作でばね部を押圧して腕部の左右両端を押上げる。【選択図】図３
0003193599.tif 000002
【実用新案登録請求の範囲】
【請求項１】
紙、樹脂フィルムでなる可撓性素材で形成し、脚部及び胴体部と、首部及び頭部と、腕部とで構成される人形において、
前記腕部は、左右の腕と、左右の腕を連結するアーチ状のばね部とで構成するとともに、該腕部を前記胴体部の左右壁片に設けられた切欠き部に差し渡し設け、
前記ばね部は、この胴体部の蓋の閉塞で、当該胴体部に係合支持する構成とし、
該閉塞した蓋の中央に設けた孔に、前記首部を挿入するとともに、この挿入時に、該首部の下端が、前記ばね部に接触する構成とし、
前記首部の押込みは、この首部上端に設けた頭部を押込み操作で達成可能とし、かつこの押込み操作で前記ばね部を押圧して前記腕部の左右両端を押上げ、又は押込み解除で、前記ばね部の反力で、前記腕部を復帰させる構成とした両腕が可動する人形。
【請求項２】
前記胴体部に係合する前記腕部のばね部の両端には、突起部を設け、この突起部が、前記切欠き部で係止されることで、このばね部のしなり過ぎることを抑止する構成としたことを特徴とする請求項１記載の人形。
【請求項３】
前記腕部のばね部が係合する胴体部に設けた切欠き部が、腕部の動きをスムーズにさせるために一定程度の深さがあることを特徴とする請求項１、又は請求項２記載の人形。
【請求項４】
前記蓋の前記孔には、その左右側より内方に向かって、三角形状の突起部を設けるとともに、この突起部と係合する三角孔を、前記首部の左右側に設ける構成とし、前記突起部が、三角孔に係合し、前記首部の脱外防止を図る構成としたことを特徴とする請求項１〜３の何れか一項に記載の人形。
【請求項５】
前記人形が、クラフト人形であって、このクラフト人形の前記胴体部と、前記首部、及び前記腕部を構成する複数のパーツが、紙シート等に展開図状に印刷され、該パーツの切り取りと折り曲げが容易なように、輪郭型抜きとミシン目加工が施されていることを特徴とする請求項１〜４の何れか一項に記載の人形。
【考案の詳細な説明】
【技術分野】
【０００１】
本考案は、紙や樹脂フィルムなどの可撓性素材からなる脚部及び胴体部と、首部及び頭部と、腕部とで構成される人形において、頭部の押下げ操作で腕部を間接的に可動させるようにしたことを特徴とするクラフト人形に関する。
【背景技術】
【０００２】
従来、クラフト人形における手足等の各部位の可動は、モーターやクランク等を使って動かすものや、実用新案登録第３０６８３１４広報に開示されるように直接部位を手で動かすものが一般的であった。
【先行技術文献】
【特許文献】
【０００３】
【特許文献１】実用新案登録第３０６８３１４広報
【考案の概要】
【考案が解決しようとする課題】
【０００４】
部位の可動にモーターやクランク等を使用する構成では構造が複雑化し、コスト的にも高価なものとなる。また所望のパーツを直接手で回動さる構造のものは、片方の手で本体部を保持し、もう片方の手で所望のパーツを動かす必要がある。また、その所望のパーツを元の位置に戻す場合にも、同様の操作が必要となる。本考案は電動的なメカ構造を用いず、なおかつ原始的な操作をせずに、指一本で軽く人形の頭部を押すだけで該人形の両腕を動かすことを目的としている。
【課題を解決するための手段】
【０００５】
上記の課題を解決するために、本考案は以下の構成からなる可動式クラフト人形を考案した。“図５”は本考案によるクラフト人形の外観図であり、脚部（１）と胴体部（２）と首部（３）と頭部（４）と腕部（５）とで構成されている。“図３”左図に示すように腕部（５）はアーチ状のばね部（６）で連結された一枚構造となっており、さらに“図３”右図に示すように首部の下端が前記のアーチ状のばね部に作用する構造となっていて、該クラフト人形の頭部を押下すると“図６”のように両腕が上方に動き、指を頭部から離すと前記ばね部の反発で両腕が元の位置に戻る構成となっている。
【考案の効果】
【０００６】
本考案はつぎに示すような効果を奏する。
（イ）クラフト人形の腕部を直接手で動かすことなく、指で頭部を押し込むことで間接的に腕部を動かすことができる。
（ロ）指での頭部の押し込みをすることにより、腕部が肩を支点として上方に回動し、指を離し押し込み止めると前記アーチ状のばね部が元の形状に戻り、腕部も元の位置に戻る。これを繰り返すことで両方の腕部を開いたり閉じたりすることができる。
（ハ）人形を床面に自立させたままで、簡単に両腕を動かすことができる。
（ニ）割りピンやモーター、クランク等を使うことがないので、両腕が動くクラフト人形を安価に提供することができる。
（ホ）輪郭型抜きとミシン目加工により、紙シート等からの取り外しに於いて、ハサミ等を使わず手で取り外すことができ、折線に沿って簡単にしかも綺麗にクラフト人形を組立てることができる。
【図面の簡単な説明】
【０００７】
【図１】クラフト人形を構成する部位の斜視図
【図２】胴体部の構成を示す斜視図
【図３】胴体部に腕部と首部を係合する斜視図
【図４】クラフト人形の部位を平面シートに印刷した展開図
【図５】クラフト人形の外観図
【図６】クラフト人形の動きを表した斜視図
【考案を実施するための形態】
【０００８】
該クラフト人形は、“図１”にあるように脚部（１）及び胴体部（２）と、首部（３）及び頭部（４）と、腕部（５）とで構成されており、それぞれが紙もしくは樹脂フィルムのような撓りのある平面素材で形成されている。前記したクラフト人形の各部位は“図４”に示されるようなシート状の素材に印刷されている。“図１”は、各部位をシートから切り離し、立体的に折り曲げた状態のものである。
胴体部切欠き部“図２”（７）に腕部（５）を差し渡し、胴体部の上蓋（８）を閉塞して腕部（５）を支持する。そして“図３”のように胴体部の上蓋（８）に設けられた孔（１４）に首部（３）を挿入し、該首部の下端は腕部に接して作用する構成となっている。そして前記の首部は頭部と連結されており、該頭部を押下すると“図６”のように両腕が切欠き（７）を支点として上方に回動し、指を頭部から離すと前記ばね部の反発で両腕が元の位置に戻る構成となっている。
【実施例】
【０００９】
以下、図面にしたがい本考案の実施例を説明する
請求項１記載の可動式クラフト人形の構成について、“図１”、“図２”と“図３”を用いて説明する。該クラフト人形は、“図１”にあるように脚部（１）及び胴体部（２）と、首部（３）及び頭部（４）と、腕部（５）とで構成されており、それぞれが紙もしくは樹脂フィルムのような撓りのある平面素材で形成されている。前記腕部（５）は、左右の腕と、左右の腕を連結するアーチ状のばね部（６）とで一体的に形成されている。そして、胴体部（２）には該腕部を係合するための切欠き部“図２”（７）が前記胴体部の左右壁片に設けられ、また腕部を上部より支持する上蓋“図２”（８）が胴体部の上部に設けられている。そして“図３”のようにこの切欠き部に該腕部を差し渡して、胴体部の上蓋“図２”（８）を閉じることで、胴体部に腕部が係合支持される構造となっている。
胴体部の上蓋“図２”（８）の中央には、首部（３）を挿入するための孔（９）が設けてあり、“図３”右図のように、頭部（４）に係合された首部（３）を前記孔（９）に挿入することで胴体部と連結させる構造となっている。そして、胴体部に挿入された首部（３）の下端は、胴体部に支持された腕部のばね部（６）に接触する構成（１０）となっており、頭部を下方に押し込むことで首部の下端がばね部（６）を押圧して腕部（５）の左右両端を押上げ、又は押込みを解除することで、ばね部（６）の反力で首部（３）を押し上げ、そして腕部（５）を復帰させる構成となっている。
請求項２記載の可動式クラフト人形の構成ついて、“図１”を用いて説明する。前記胴体部（２）に係合する前記腕部のばね部（６）の両端には、腕部から外側に張り出す形で三角形状の突起部（１２）が設けてあり、さらに該突起部の幅は胴体部の切欠き（７）の幅よりも広くなっている。これにより首部（３）下端でばね部が一定程度に押圧されたときに、腕部（５）が胴体部（２）の中に必要以上に引き込まれること防ぐべく、この突起部（１２）が前記切欠き部（７）で係止される構造となっている。それと同時に、突起部（１２）は腕部のばね部のしなり過ぎを抑止している。
請求項３記載の可動式クラフト人形の構成ついて、“図２”と“図３”と“図６”を用いて説明する。“図６”のように人形頭部の押下げ操作で腕部をスムーズに上下動させるには、前記腕部（５）のばね部（６）が胴体部（２）に係合する箇所に一定程度の遊びが必要であり、胴体部に設けた切欠き部“図２”（７）には、ばね部（６）の厚みの数倍程度の深さを持たせている。“図３”右図に示すように、腕部が胴体部に係合された状態では、ばね部（６）と閉塞された胴体部の上蓋（８）の間に隙間ができるようになっている。
請求項４記載の可動式クラフト人形の構成ついて、“図１”と“図３”を用いて説明する。前記上蓋（８）の前記孔（９）には、その左右側より内方に向かって、三角形状の突起部（１４）が設けてあり、そしてこの突起部と係合する三角孔（１３）を首部（３）の左右側に設ける構成とし、前記突起部（１４）が三角孔（１３）に係合することで前首部（３）が胴体部（２）に支持され、さらには該首部の脱外防止を図る構成となっている。“図３”の右図は首部の三角孔（１３）と胴体部の突起部（１４）を係合させる状態を表している。この胴体部に設けられた突起部（１４）は撓りのある材質であるが故に、ばね部（６）と相まって、一定程度押し込まれた首部（３）を上方に押し返すように作用する。
請求項５記載の可動式クラフト人形の構成ついて、“図４”を用いて説明する。前記のクラフト人形を構成する脚部（１）と胴体部（２）と首部（３）と頭部（４）と腕部（５）は平面上の紙シートで形成されており、さらには各パーツが“図４”に示されるように、紙シート等に展開図状に印刷（１５）されている。そして各パーツが印刷された紙シート（１５）には、それぞれのパーツが簡単に切り取り可能なようにパーツの輪郭に型抜き加工が施されており、さらにパーツを折り曲る箇所には折り曲げ易いようにミシン目加工が施されている。
【産業上の利用可能性】
【００１０】
最近はフィギュアやキャラクターが注目されているが、それをデフォルメしてクラフト人形化して、しかもその両腕を指一本で簡単に動かせるようになれば、クラフト人形の付加価値が向上する。そのようにすればオリジナルのキャラクター商品として、あるいはイベントなどでのノベルティとして、あるいは雑誌や書籍の綴じ込み付録として利用される可能性がある。
【符号の説明】
【００１１】
（１）      脚部
（２）    胴体部
（３）    首部
（４）    頭部
（５）    腕部
（６）    アーチ状のばね部
（７）    胴体部の左右壁片に設けられた切欠き部
（８）    胴体部の蓋
（９）    胴体部の閉塞した蓋の中央に設けた孔
（１０）  首部挿入時、該首部の下端が、アーチ状のばね部に接触する箇所
（１１）  首部の押込み操作でアーチ状のばね部を押圧して前記腕部の左右両端を押上げ、又は押込み解除で、前記ばね部の反力で、前記腕部を復帰させる構成
（１２）  胴体部に係合する前記腕部のばね部の両端にある突起部
（１３）  胴体部の突起部と係合する三角孔
（１４）  三角形状の突起部
（１５）  紙シート等の展開図（シート内の実線は輪郭型抜き、破線はミシン目加工）
【図１】
0003193599.tif 000003
【図２】
0003193599.tif 000004
【図３】
0003193599.tif 000005
【図４】
0003193599.tif 000006
【図５】
0003193599.tif 000007
【図６】
0003193599.tif 000008